【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
第１の入力信号を増幅し、第１のアンテナに第１の出力信号を供給するように構成された第１の電力増幅器と、
前記第１の入力信号または第２の入力信号を増幅し、第２のアンテナに第２の出力信号を供給するように構成された第２の電力増幅器と
を備え、前記第１の電力増幅器および前記第２の電力増幅器は、第１の動作モードで、前記第１のアンテナと前記第２のアンテナに前記第１の出力信号と前記第２の出力信号とを同時に供給するように構成され、前記第１の電力増幅器は、第２の動作モードで、第３の入力信号を増幅し、前記第１のアンテナに第３の出力信号を供給するように構成され、前記第２の電力増幅器は、第３の動作モードで、第４の入力信号を増幅し、前記第１のアンテナに第４の出力信号を供給するように構成され、前記第１の電力増幅器は、第１のキャリア用の前記第１の入力信号を増幅するように構成され、前記第２の電力増幅器は、第２のキャリア用の前記第２の入力信号を増幅するように構成される、装置。
【請求項２】
前記第１の電力増幅器と前記第２の電力増幅器が、異なるゲイン、異なる最大出力電力レベル、異なる回路設計、異なるトランジスタサイズ、異なるバイアス電圧、および異なるバイアス電流のうちの少なくとも１つを有する、請求項１に記載の装置。
【請求項３】
前記第１の電力増幅器と前記第２の電力増幅器が、多入力多出力（ＭＩＭＯ）伝送のために、前記第１の入力信号と前記第２の入力信号とを増幅し、前記第１のアンテナと前記第２のアンテナに前記第１の出力信号と前記第２の出力信号とを供給するように構成された、請求項１に記載の装置。
【請求項４】
前記第１の電力増幅器と前記第２の電力増幅器の両方が、送信ダイバーシティのために、前記第１の入力信号を増幅し、前記第１のアンテナと前記第２のアンテナに前記第１の出力信号と前記第２の出力信号とを供給するように構成された、請求項１に記載の装置。
【請求項５】
前記第１の電力増幅器が、キャリアアグリゲーションのために、第１のキャリア用の前記第１の入力信号を増幅するように構成され、前記第２の電力増幅器が第２のキャリア用の前記第２の入力信号を増幅するように構成された、請求項１に記載の装置。
【請求項６】
前記第２の電力増幅器が前記第２の動作モードで動作不可にされ、前記第１の電力増幅器が前記第３の動作モードで動作不可にされる、請求項１に記載の装置。
【請求項７】
前記第２の動作モードと前記第３の動作モードが異なる無線技術に関連付けられ、前記第４の出力信号が前記第３の出力信号よりも高い最大出力電力を有する、請求項１に記載の装置。
【請求項８】
第４の動作モードで第５の入力信号を増幅し、前記第１のアンテナに第５の出力信号を供給するように構成された駆動増幅器をさらに備え、前記第５の入力信号が、前記第４の動作モードでいかなる電力増幅器によっても増幅されない、請求項１に記載の装置。
【請求項９】
前記第１の入力信号を増幅するように構成された第１の駆動増幅器と、
前記第１の駆動増幅器と前記第１の電力増幅器との間に結合された第１の整合回路と、
前記第１の入力信号または前記第２の入力信号を増幅するように構成された第２の駆動増幅器と、
前記第２の駆動増幅器と前記第２の電力増幅器との間に結合された第２の整合回路と
をさらに備える、請求項１に記載の装置。
【請求項１０】
第１のスイッチが動作可能であるとき、前記第１の電力増幅器に向かって前記第１の入力信号を送るように構成された前記第１のスイッチと、
第２のスイッチが動作可能であるとき、前記第２の電力増幅器に向かって前記第１の入力信号を送るように構成された前記第２のスイッチと、
第３のスイッチが動作可能であるとき、前記第２の電力増幅器に向かって前記第２の入力信号を送るように構成された前記第３のスイッチと
をさらに備える、請求項１に記載の装置。
【請求項１１】
第１のスイッチが動作可能であるとき、前記第１の電力増幅器から前記第１のアンテナに向かって前記第１の出力信号を送るように構成された前記第１のスイッチと、
第２のスイッチが動作可能であるとき、前記第２のアンテナに向かって前記第２の出力信号を送るように構成された前記第２のスイッチと
をさらに備える、請求項１に記載の装置。
【請求項１２】
前記第１の電力増幅器と前記第２の電力増幅器が単一の集積回路（ＩＣ）上に製作された、請求項１に記載の装置。
【請求項１３】
第１の入力信号を第１の電力増幅器で増幅して、第１のアンテナ向けの第１の出力信号を取得することと、
前記第１の入力信号または第２の入力信号を第２の電力増幅器で増幅して、第２のアンテナ向けの第２の出力信号を取得することと
を備え、ここにおいて、前記第１の電力増幅器および前記第２の電力増幅器は、第１の動作モードで、前記第１のアンテナと前記第２のアンテナに前記第１の出力信号と前記第２の出力信号とを同時に供給するように構成され、
第２の動作モードで、前記第１の電力増幅器で第３の入力信号を増幅して、前記第１のアンテナ向けの第３の出力信号を取得することと、
第３の動作モードで、前記第２の電力増幅器で第４の入力信号を増幅し、前記第１のアンテナ向けの第４の出力信号を取得することと
をさらに備え、ここにおいて、前記第１の電力増幅器は、第１のキャリア用の前記第１の入力信号を増幅するように構成され、前記第２の電力増幅器は、第２のキャリア用の前記第２の入力信号を増幅するように構成される、方法。
【請求項１４】
前記第２の動作モードで前記第２の電力増幅器を動作不可にすることをさらに備える、請求項１３に記載の方法。
【請求項１５】
前記第３の動作モードで前記第１の電力増幅器を動作不可にすることをさらに備える、請求項１４に記載の方法。
【請求項１６】
前記第１の入力信号または前記第２の入力信号を前記第２の電力増幅器で前記増幅することが、多入力多出力（ＭＩＭＯ）伝送のために、前記第２の入力信号を前記第２の電力増幅器で増幅して、前記第２のアンテナ向けの前記第２の出力信号を取得することを備え、前記第１の出力信号と前記第２の出力信号が、前記第１のアンテナと前記第２のアンテナとを介して送信される、請求項１３に記載の方法。
【請求項１７】
前記第１の入力信号または前記第２の入力信号を前記第２の電力増幅器で前記増幅することが、送信ダイバーシティのために、前記第１の入力信号を前記第２の電力増幅器で増幅して、前記第２のアンテナ向けの前記第２の出力信号を取得することを備え、前記第１の出力信号と前記第２の出力信号が、前記第１のアンテナと前記第２のアンテナとを介して送信される、請求項１３に記載の方法。
【請求項１８】
キャリアアグリゲーションのために、前記第１の入力信号を前記第１の電力増幅器で前記増幅することが、第１のキャリア用の前記第１の入力信号を前記第１の電力増幅器で増幅することを備え、前記第１の入力信号または前記第２の入力信号を前記第２の電力増幅器で前記増幅することが、第２のキャリア用の前記第２の入力信号を前記第２の電力増幅器で増幅して、前記第２のアンテナ向けの前記第２の出力信号を取得することを備え、前記第１の出力信号と前記第２の出力信号が、前記第１のアンテナと前記第２のアンテナとを介して送信される、請求項１３に記載の方法。
【請求項１９】
第１の入力信号を増幅し、第１のアンテナに第１の出力信号を供給するように構成された、増幅するための第１の手段と、
前記第１の入力信号または第２の入力信号を増幅し、第２のアンテナに第２の出力信号を供給するように構成された、増幅するための第２の手段と
を備え、前記増幅するための第１の手段および前記増幅するための第２の手段は、第１の動作モードで、前記第１のアンテナと前記第２のアンテナに前記第１の出力信号と前記第２の出力信号とを同時に供給するように構成され、前記増幅するための第１の手段は、第２の動作モードで、第３の入力信号を増幅し、前記第１のアンテナに第３の出力信号を供給するように構成され、前記増幅するための第２の手段は、第３の動作モードで、第４の入力信号を増幅し、前記第１のアンテナに第４の出力信号を供給するように構成され、前記増幅するための第１の手段は、第１のキャリア用の前記第１の入力信号を増幅するように構成され、前記増幅するための第２の手段は、第２のキャリア用の前記第２の入力信号を増幅するように構成される、装置。
【請求項２０】
多入力多出力（ＭＩＭＯ）伝送のために、前記増幅するための第２の手段が、前記第２の入力信号を増幅し、前記第２のアンテナに前記第２の出力信号を供給するように構成され、前記第１の出力信号と前記第２の出力信号が、前記第１のアンテナと前記第２のアンテナとを介して送信される、請求項１９に記載の装置。